(57)【要約】【課題】  通水路内に残る空気を瞬時に外部に排出することにより汚物排出性能を向上させた水洗便器を提供する。【解決手段】  本発明の水洗便器１は、リム部１６と棚部１８を備えたボウル部と、この棚部上に洗浄水を吐水し旋回流を形成するリム吐水部３０，３２と、汚物をサイホン作用により排出する排水路１２と、ゼット吐水部３４と、洗浄水タンクから洗浄水を供給する共通通水路１０と、共通通水路のボウル部の近傍で分岐しリム吐水部に洗浄水を供給するリム通水路２４，２６と、共通通水路のボウル部の近傍で分岐しゼット吐水部に洗浄水を供給するゼット通水路３６と、を有し、リム通水路は、共通通水路との分岐部に形成されたリム穴を有し、洗浄開始時に、共通通水路内及びゼット通水路の封水面の上方にある空気をリム穴からリム通水路を経由してリム吐水部の開口部から外部に抜くように構成されている。【選択図】      図１
2005113643.tif 000002
【特許請求の範囲】
【請求項１】
洗浄水タンク内に貯溜された所定の量の洗浄水により便器を洗浄して汚物を排出する水洗便器であって、
ボウル形状の汚物受け面と、上縁部でありその内周面が内方に向ってオーバーハングしたリム部と、このリム部と汚物受け面との間に形成された棚部とを備えたボウル部と、
このボウル部の棚部上に洗浄水を吐水し旋回流を形成するリム吐水部と、
このボウル部の下方にその入口が接続され汚物をサイホン作用により排出する排水路と、
この排水路の入口に向って吐水するように設けられたゼット吐水部と、
上記洗浄水タンクから上記ボウル部の近傍まで洗浄水を供給する共通通水路と、
この共通通水路の上記ボウル部の近傍で分岐し上記リム吐水部に洗浄水を供給するリム通水路と、
上記共通通水路の上記ボウル部の近傍で分岐し上記ゼット吐水部に洗浄水を供給するゼット通水路と、を有し、
上記リム通水路は、上記共通通水路との分岐部に形成されたリム穴を有し、洗浄開始時に、上記共通通水路内及び上記ゼット通水路の封水面の上方にある空気を上記リム穴から上記リム通水路を経由して上記リム吐水部の開口部から外部に抜くように構成されていることを特徴とする水洗便器。
【請求項２】
上記リム通水路のリム穴が、上記ゼット通水路の封水面のほぼ真上に位置するように設けられている請求項１記載の水洗便器。
【請求項３】
上記リム吐水部は、その先端の開口部が水平方向に向いている請求項１又は請求項２に記載の水洗便器。
【請求項４】
上記リム吐水部は、上記ボウル部の棚部上に洗浄水を吐水し旋回流を形成する第１のリム吐水部と、この第１のリム吐水部が形成する旋回流と同一方向の旋回流を形成する第２のリム吐水部を有し、
上記リム通水路は、上記第１及び第２のリム吐水部に洗浄水をそれぞれ供給する第１のリム通水路及び第２のリム通水路を有し、
第１のリム通水路は上記共通通水路との分岐部に形成された第１のリム穴を有し、第２のリム通水路は上記共通通水路との分岐部に形成された第２のリム穴を有し、
これらの第１及び第２のリム通水路は、洗浄開始時に、上記共通通水路内及び上記ゼット通水路の封水面の上方にある空気を第１及び第２のリム穴から第１及び第２のリム通水路を経由して第１及び第２のリム吐水部の開口部から外部に抜くように構成されている請求項１乃至３の何れか１項記載の水洗便器。
【請求項５】
上記共通通水路は、上記リム通水路のリム穴の上流側に上方に傾斜した壁部を有する請求項１乃至４の何れか１項記載の水洗便器。
【発明の詳細な説明】
【技術分野】
【０００１】
本発明は、水洗便器に係り、特に、旋回流を形成して洗浄及び汚物の排出を行う水洗便器の空気抜き構造に関する。
【背景技術】
【０００２】
従来から、排水路入口に向けて洗浄水を吐出するゼット吐水口を設けたサイホン式の水洗便器が知られている（例えば、特開平１１‐１４０９４８号公報（特許文献１）参照）。具体的には、図９（ａ）及び図９（ｂ）に示すように、水洗便器は、前方側にボウル部１００を備え、後方側に、このボウル部１００に洗浄水を供給する洗浄水供給部１０２と、ボウル部１００の下方にその入口が連通し汚物をサイホン作用により排出する排水路１０４を備えている。洗浄水供給部１０２は、直線部１０２ａ、連絡部１０２ｂ、湾曲部１０２ｃからなり、排水路１０４の入口に対向するように設けられたゼット吐水口１０６に接続されている。洗浄水供給部１０２の直線部１０２ａの上端側には、給水穴１０８が形成され、洗浄水タンク（図示せず）の洗浄水が供給されれるようになっている。さらに、水洗便器の上部周縁には、リム通水路１１０が形成され、このリム通水路１１０の後部側は、洗浄水供給部１０２の直線部１０２ａの前端側と連通している。このリム通水路１１０は、断面がボックス形状であり、その下面に、小穴１１０ａが形成され、この小穴１１０ａから、ボール部１００に向けて洗浄水が下方に流下し、ボウル部１１０を洗浄するようになっている。
【０００３】
また、特許文献１の水洗便器では、リム内を通水路としたリム通水路を形成するとともに、リム通水路の下面に洗浄水を汚物受け面に吐出する小穴を形成しているので、リムの下面とボウル部の汚物受け面との境界部が上方から見て死角になり、特にリムの下面には洗浄水が廻り込まないため、汚れが残りやすいという問題があり、また境界部が見にくいため釉薬の塗布が完全に行えない場合があり、これも汚れが付着する原因になっていた。
【０００４】
この問題を解決するために、リム内を通水路としない水洗便器の新たな構造が提案されている（例えば、特開２００１‐２７９７８８号公報（特許文献２）参照）。この水洗便器は、図１０（ａ）及び図１０（ｂ）に示すように、ボウル部１２０を備え、洗浄水タンク１２２からの洗浄水によりボウル部を洗浄するようになっている。ボウル部１２０に臨むリム内側面１２４とボウル部１２０の汚物受け面１２０ａとをスムーズに連続した形状とすることで陰（死角）になる部分をなくし、さらに、ボウル部１２０への洗浄水の供給は、ボウル部１２０の後部の１箇所にリム吐水口１２６を設け、このリム吐水口１２６からリム内側面１２４に洗浄水を吐出して旋回流を形成し、汚物受け面１２０ａの全面に洗浄水が行き渡らせるようにしている。また、ゼット吐水口１２８が形成され、このゼット吐水口１２８に洗浄水タンク１２２から洗浄水が供給されるようになっている。さらに、水洗便器には、洗浄水タンク１２２からの洗浄水の入口である洗浄水供給口１３０が設けられ、この洗浄水供給口１３０の真下近傍には、分流区画壁１３２が設けられ、この分流区画壁１３２により、リム吐水口１２６に供給される洗浄水が流入するリム通水路１３４と、ゼット噴出口１２８に供給される洗浄水が流入するゼット通水路１３６とが形成され、リム吐水口１２６とゼット吐水口１２８に供給される洗浄水が分流供給されるようになっている。
【０００５】
【特許文献１】特開平１１‐１４０９４８号公報
【特許文献２】特開２００１‐２７９７８８号公報
【発明の開示】
【発明が解決しようとする課題】
【０００６】
一般に、洗浄水タンクからの洗浄水により便器を洗浄し、ゼット吐水口を備えたサイホン式の水洗便器においては、洗浄開始時に、ほぼ同時に、洗浄水タンクからの洗浄水がゼット吐水口及びリム通水路内の小穴又はリム内周面のリム噴出口から噴出されるようになっているが、洗浄水タンクとゼット吐水口及びリム吐水口との間の通水路に空気が存在しているため、サイホン作用が遅延して発生するという問題がある。
【０００７】
具体的に説明すると、特許文献１の水洗便器においては、リム通水路１１０内の空気は洗浄水と置換されながら外部に排出されるが、リム通水路１１０の小穴１１０ａが下方に向けて開口しているため、洗浄水と置換し難く、また、ゼット吐水口１０６の上流側にある空気は、行き場がなく、リム通水路１１０に移動したり、ゼット吐水口１０６から排出される。しかしながら、ゼット吐水口１０６から排出される空気の量だけ洗浄水の流量が減少し、それにより、サイホン作用の遅れを誘発し、その分、汚物の排出性能が低下するという問題が生じる。
【０００８】
特許文献２の水洗便器においては、リム吐水口１２６の上流側にある空気は、洗浄開始時に、リム吐水口１２６から、スムーズに外部に排出される。しかしながら、ゼット吐水口１２８の上流側にある空気は、行き場がないので、ゼット吐水口１２８から排出される。それにより、特許文献１と同様に、ゼット吐水口１２８から排出される空気の量だけ洗浄水の流量が減少し、それにより、サイホン作用の遅れを誘発し、その分、汚物の排出性能が低下するという問題が生じる。
【０００９】
そこで、本発明は、上述した問題を解決するためになされたものであり、通水路内に残る空気を瞬時に外部に排出することによりサイホン作用の発生を遅らせないようにして汚物排出性能を向上させた水洗便器を提供することを目的としている。
【課題を解決するための手段】
【００１０】
上記の目的を達成するために、本発明は、洗浄水タンク内に貯溜された所定の量の洗浄水により便器を洗浄して汚物を排出する水洗便器であって、ボウル形状の汚物受け面と、上縁部でありその内周面が内方に向ってオーバーハングしたリム部と、このリム部と汚物受け面との間に形成された棚部とを備えたボウル部と、このボウル部の棚部上に洗浄水を吐水し旋回流を形成するリム吐水部と、このボウル部の下方にその入口が接続され汚物をサイホン作用により排出する排水路と、この排水路の入口に向って吐水するように設けられたゼット吐水部と、洗浄水タンクからボウル部の近傍まで洗浄水を供給する共通通水路と、この共通通水路のボウル部の近傍で分岐しリム吐水部に洗浄水を供給するリム通水路と、共通通水路のボウル部の近傍で分岐しゼット吐水部に洗浄水を供給するゼット通水路と、を有し、リム通水路は、共通通水路との分岐部に形成されたリム穴を有し、洗浄開始時に、共通通水路内及びゼット通水路の封水面の上方にある空気をリム穴からリム通水路を経由してリム吐水部の開口部から外部に抜くように構成されていることを特徴としている。
このように構成された本発明においては、洗浄開始時に、共通通水路内の空気及びゼット通水路の封水面よりも上方にある空気は、ボウル部の近傍に形成されたリム穴内にスムーズに移動し、リム通水路を経由して、リム通水路内の空気と共に、リム吐水口から、短時間で、外部に排出される。その結果、本発明によれば、通水路内に残る空気を瞬時に外部に排出することによりサイホン作用の発生を遅らせないようにして汚物排出性能を向上させることができる。
【００１１】
本発明において、好ましくは、リム通水路のリム穴は、ゼット通水路の封水面のほぼ真上に位置するように設けられている。
このように構成された本発明によれば、リム通水路のリム穴がゼット通水路の封水面のほぼ真上に位置するように設けられているので、ゼット通水路の封水面の上方にある空気は、洗浄水が導入されると洗浄水と置換しながら、スムーズにリム穴内に移動し、リム通水路を経由してリム吐水口から外部に排出される。
【００１２】
本発明において、好ましくは、リム吐水部は、その先端の開口部が水平方向に向いている。
このように構成された本発明によれば、空気と洗浄水が混在する場合であっても、空気を、リム吐水口の上方から確実に外部に排出することができる。
【００１３】
本発明において、好ましくは、リム吐水部は、ボウル部の棚部上に洗浄水を吐水し旋回流を形成する第１のリム吐水部と、この第１のリム吐水部が形成する旋回流と同一方向の旋回流を形成する第２のリム吐水部を有し、リム通水路は、第１及び第２のリム吐水部に洗浄水をそれぞれ供給する第１のリム通水路及び第２のリム通水路を有し、第１のリム通水路は共通通水路との分岐部に形成された第１のリム穴を有し、第２のリム通水路は共通通水路との分岐部に形成された第２のリム穴を有し、これらの第１及び第２のリム通水路は、洗浄開始時に、共通通水路内及びゼット通水路の封水面の上方にある空気を第１及び第２のリム穴から第１及び第２のリム通水路を経由して第１及び第２のリム吐水部の開口部から外部に抜くように構成されている。
このように構成された本発明においては、洗浄開始時に、共通通水路内及びゼット通水路の封水面の上方にある空気が、２つのリム穴（第１及び第２のリム穴）から第１及び第２のリム通水路を経由して第１及び第２のリム吐水部の開口部から外部に排出されるので、より短時間に空気を抜くことができる。
【００１４】
本発明において、好ましくは、共通通水路は、リム通水路のリム穴の上流側に上方に傾斜した壁部を有する。
このようにように構成された本発明によれば、洗浄開始時に、共通通水路内の空気が、この壁部に沿って移動するので、リム穴からリム通水路を経由してリム吐水口からスムーズに排出される。
【発明の効果】
【００１５】
本発明の水洗便器によれば、通水路内に残る空気を瞬時に外部に排出することによりサイホン作用の発生を遅らせないようにして汚物排出性能を向上させることができる。
【発明を実施するための最良の形態】
【００１６】
以下、本発明の実施形態を添付図面を参照して説明する。先ず、本発明の第１実施形態を図１乃至図３により説明する。図１は本発明の第１実施形態による水洗便器を示す縦断面図であり、図２は図１に示す水洗便器の平面図であり、図３（ａ）〜（ｄ）はそれぞれ図２のＡ−Ａ線〜Ｄ−Ｄ線に沿って見た部分断面図である。
【００１７】
図１及び図２に示すように、本実施形態の水洗便器１は、タンク式の水洗便器であり、便器本体２と、洗浄水タンク４とから構成されている。洗浄水タンク４は、節水型の洗浄水タンク（６Ｌ〜８Ｌ）であり、ローシルエットと呼ばれるタイプで、水頭圧が一般のものより低くなっている。この洗浄水タンク４は、便器本体１と一体的に形成された、所謂、ワンピース便器である。
【００１８】
便器本体２は、表面に釉薬層が形成された陶器製であり、下部にスカート部６が形成され、上半部のうち前方にボウル部８が形成され、後方上部に共通通水路１０、後方下部に排水路１２がそれぞれ形成されている。
【００１９】
ボウル部８は椀状をなす汚物受け面１４と上縁部を構成するリム１６を有し、汚物受け面１４の乾燥面１４ａと、棚部１８と、リム１６の内側面１６ａが、スムーズな曲面で連続して形成されている。さらに、上から見て死角になる箇所がないように、また、清掃の際には使い捨ての紙等を使用して簡単に内側面１６ａを拭き取ることができ、しかも洗浄水が外に飛び出すことがないように、リム１６の内側面１６ａは内方に向かってある程度オーバーハングした形状になっている。
【００２０】
汚物受け面１４の中央で溜水面Ｗ（封水面Ｗ１でもある）の下方の箇所には排水路１２の入口１２ａが開口し、この排水路入口１２ａから上昇路１２ｂが後方に伸び、この上昇路１２ｂには下降路１２ｃ（縦管）が連続し、下降路１２ｃの下端は、ジョイント（示せず）を介して排出管に接続されている。
【００２１】
共通通水路１０は、その後部上方に形成された洗浄水供給口１０ａを介して、洗浄水タンク４に連通している。また、共通通水路１０は、その左右側に設けられた側壁１９によりその幅が狭められ、これらの側壁１９の前方側、即ち、ボウル部８の近傍位置で、第１のリム連結穴２０及び第２のリム連結穴２２に連通するようになっている。第１のリム連結穴２０は、前方から見たとき左側に設けられており、第１のリム通水路２４に連通し、洗浄水が平面視で左回りに流れるようになっている。一方、第２のリム連結穴２２は、前方から見たとき右側に設けられており、第２のリム通水路２６に連通し、この第２のリム通水路２６は、上流部２６ａと下流部２６ｂとからなり、これらの間に設けられた隔壁２８の先端部でＵターンしている。具体的には、上流部２６ａで洗浄水が平面視で右回りに流れ、下流部２６ｂで左回りに流れるようになっている。
【００２２】
一方、共通通水路１０は、ボウル部８の近傍位置で、後述するゼット通水路３６とも連通している。このように、共通通水路１０は、ボウル部８の近傍位置で、第１及び第２のリム連結穴２０，２２、並びに、ゼット通水路３６に分岐した構造となっており、この分岐部に、上述した第１及び第２のリム連結穴２０，２２が設けられている。即ち、図２に示すように、第１及び第２のリム連結穴２０，２２は、ボウル部８を構成する壁面の裏面側に沿って形成されており、共通通水路１０の上方において最もボウル部８に近い位置に開口している。
ここで、第１及び第２のリム連結穴２０，２２は、図１に示すように、ゼット通水路３６の封水面Ｗ１のほぼ真上に位置するように設けられている。
また、図１に示すように、共通通水路１０の第１及び第２のリム連結穴２０，２２に接した上流側には、上方に傾斜した上部壁２９が形成されている。
さらに、共通通水路１０の底面から第１及び第２のリム連結穴２０，２２までの距離Ｌは、大きい方が好ましいが、本実施形態では、洗浄水によりリム連結穴２０，２２が閉鎖されて空気が外部に排出されないことを防止するために、距離Ｌを少なくともリム連結孔２０，２２の径Ｄよりも大きく設定している。
【００２３】
次に、図２に示すように、第１のリム通水路２４は、ボウル部８の所定位置に配置された第１のリム吐水口３０とつながっており、この第１のリム吐水口３０から、洗浄水タンク４からの洗浄水が、共通通水路１０、第１のリム連結穴２０及び第１のリム通水路２４を経由して、棚部１８上に吐出されるようになっている。
第２のリム通水路２６は、ボウル部８の所定位置に配置された第２のリム吐水口３２とつながっており、この第２のリム吐水口３２から、洗浄水タンク４からの洗浄水が、共通通水路１０、第２のリム連結穴２２及び第２のリム通水路２６（上流部２６ａ，下流部２６ｂ）を経由して、棚部１８上に吐出されるようになっている。
ここで、第１及び第２のリム吐水口３０，３２は、ぞれぞれ、その開口部が水平方向に向いている。
このように、本実施形態では、水が通る第１及び第２のリム通水路２４，２６の距離が短く形成されている。
【００２４】
第１及び第２のリム吐水口３０，３２は、いずれも、高さ位置が汚物受け面１４の乾燥面１４ａとリム１６の内側面１６ａとの境界部近くで、前後位置は平面視で排水路入口１２ａの側方となる位置に形成され、更に第１のリム吐水口３０は洗浄水の吐出方向が前方となり、第２のリム吐水口３２は洗浄水の吐出方向が後方となり、ボウル部８において、平面視で反時計回りの洗浄水による１つの旋回流が形成されるようになっている。
【００２５】
さらに、排水路入口１２ａと対向する箇所に汚物を効率的に排水路に押し込むゼット吐出口３４が設けられている。また、上述した共通通水路１０は、ボウル部８の近傍位置で、ゼット通水路３６と連通し、このゼット通水路３６が、ゼット吐水口３４につながっている。その結果、洗浄水タンク４からの洗浄水が、共通通水路１０及びゼット通水路３６を経由して、ゼット吐水口３４から、排水路１２の入口１２ａに向けて吐水されるようになっている。
【００２６】
次に本実施形態による水洗便器の動作を説明する。先ず、水洗便器１の洗浄を開始したとき、便器内にある空気を抜く必要があるが、この空気抜きは、以下のように行われる。即ち、洗浄開始時には、共通通水路１０内、第１及び第２のリム通水路２４，２６内、及び、ゼット通水路３６の封水面Ｗ１よりも上方の空間内に、空気が存在している。これらの空気のうち、共通通水路１０内の空気は、洗浄開始時、即ち、洗浄水が、洗浄水タンク４から洗浄水供給口１０ａを経て、共通通水路１０内に導入されたとき、この洗浄水により、前方に押し出され、さらに、共通通水路１０の上部壁２９に沿って前方に移動し、第１及び第２のリム連結穴２０，２２から第１及び第２のリム通水路２４，２６を経由して、第１及び第２のリム吐水口３０，３２から外部に排出される。
ここで、第１及び第２のリム連結穴２０，２２が共通通水路１０の下流端の分岐部で且つボウル部８の近傍位置に配置されている。即ち、ので、共通通水路１０内の空気が、スムーズに第１及び第２のリム連結穴２０，２２内に移動し、さらに、第１及び第２のリム通水路２４，２６の経路が比較的短く形成されているので、共通通水路１０内の空気は、第１及び第２のリム通水路２４，２６内の空気と一緒になって、短時間に外部に排出される。
【００２７】
この第１実施形態では、空気が、２つのリム連結穴２０，２２から外部に排出されるので、後述する１つのリム連結穴から排出する場合よりも、より短時間に空気を外部に排出することができる。
また、第１及び第２のリム吐水口３０，３２の開口部は水平方向に向いているので、空気と洗浄水とが混在する場合であっても、空気を、第１及び第２のリム吐水口３０，３２の上方部分から確実に外部に排出することができるようになっている。
この結果、空気の外部への排出が、洗浄水の吐水とほぼ同時にほぼ完了するので、従来のボックス形状のリム通水路内に滞留する空気が、圧縮した状態で吐水口である小穴から洗浄水と一緒に吐出するたびにジュジュという音が発生していた問題も解消できる。
【００２８】
また、ゼット通水路３６の封水面Ｗ１よりも上方の空間内の空気の大部分は、第１及び第２のリム連結穴２０，２２がほぼ真上に位置し、且つ、共通通水路１０の底面から第１及び第２のリム連結穴２０，２２までの距離Ｌが大きく設定されているので、洗浄水が導入されると洗浄水と置換しながら、第１及び第２のリム連結穴２０，２２内に移動し、第１及び第２のリム通水路２４，２６を経て、第１及び第２のリム吐水口３０，３２から外部に排出される。そのため、ゼット通水路３６にスムーズに洗浄水が流入し、リム吐水口３０，３２から空気を排出するために、ゼット通水路３６のゼット吐水口３４は、比較的は比較的広く形成し、ゼット通水路３６をリム吐水口３０，３２へ洗浄水が流入する前に満水状態、即ち、空気と置換させることが望ましい。
一方、ゼット通水路３６の封水面Ｗ１よりも上方の空間内の空気の残り一部は、洗浄水と共に、ゼット通水路３６を経て、ゼット吐水口３４から外部に排出されるが、その量は、少量である。この場合も、ゼット通水路３６の経路が比較的短く形成されているので、ゼット通水路３６内の空気は、短時間に外部に排出される。
【００２９】
このようにして、本実施形態では、洗浄開始時において、共通通水路１０内、第１及び第２のリム通水路２４，２６内、及び、ゼット通水路３６の封水面Ｗ１よりも上方の空間内に存在している空気が、極めてスムーズ（短時間）に、第１及び２のリム吐水口３０，３２、及び、ゼット吐水口３４から排出されるので、これらの通水路内で空気が圧縮されることがなくなり、洗浄水の水流のエネルギーの損失が低減でき、洗浄時の音の発生を防止することができる。
【００３０】
本実施形態によれば、洗浄開始時に、このようにして通水路内の空気が早期に外部に排出されるので、洗浄開始後のごく短い時間で、ゼット吐水口３４から排出路１２の入口１２ａに向けて洗浄水が吐水され、それにより、早期にサイホン作用が発揮され、汚物排出性能が向上する。さらに、サイホン作用が早期に発生することにより、洗浄水の量を少なくすることができる。
【００３１】
次に、図４及び図５により、本発明の第２実施形態による水洗便器を説明する。図４は、本発明の第２実施形態による水洗便器の縦断面図であり、図５は図４に示す水洗便器の平面図である。この第２実施形態は、上述した第１実施形態と異なり、リム連結穴、リム通水路、及び、リム吐水口が、それぞれ１個設けられている。以下、主として異なる部分を説明する。水洗便器４１は、タンク式の水洗便器であり、後方上部には、共通通水路４２が形成されている。この共通通水路４２は、ボウル部８の近傍位置で、単一のリム連結穴４４に連通するようになっている。また、共通通水路４２のリム連結穴４４の近傍には、ガイド部４２ａが設けられており、共通水路４２からリム連結穴４４に洗浄水が流れ易いようにガイドするようになっている。リム連結穴４４は、前方から見たとき左側に設けられており、リム通水路４６に連通し、洗浄水が平面視で左回りに流れるようになっている。
【００３２】
一方、共通通水路４２は、ボウル部８の近傍位置で、ゼット通水路３６とも連通している。このように、共通通水路４２は、ボウル部８の近傍位置で、リム連結穴４４、及び、ゼット通水路３６に分岐した構造となっており、この分岐部に、リム連結穴４４が設けられている。ここで、リム連結穴４４は、図４に示すように、ゼット通水路３６の封水面Ｗ１のほぼ真上に位置するように設けられている。さらに、図４に示すように、共通通水路４２のリム連結穴４４に接した上流側には、上方に傾斜した上部壁２９が形成されている。
【００３３】
次に、リム通水路４６は、ボウル部８の所定位置に配置されたリム吐水口４８とつながっており、このリム吐水口４８から、洗浄水タンク４からの洗浄水が、共通通水路４２、リム連結穴４４及びリム通水路４６を経由して、棚部１８上に吐出されるようになっている。ここで、リム吐水口４８は、その開口部が水平方向に向いている。このように、本実施形態でも、水が通るリム通水路４６の距離が短く形成されている。
【００３４】
リム吐水口４８は、高さ位置が汚物受け面１４の乾燥面１４ａとリム１６の内側面１６ａとの境界部近くで、前後位置は平面視で排水路入口１２ａの側方となる位置に形成され、更にリム吐水口４８は洗浄水の吐出方向が前方となり、ボウル部８において、平面視で反時計回りの旋回流が形成されるようになっている。
【００３５】
さらに、共通通水路４２は、ボウル部８の近傍位置で、ゼット通水路３６と連通し、このゼット通水路３６が、ゼット吐水口３４につながっている。その結果、洗浄水タンク４からの洗浄水が、共通通水路４２及びゼット通水路３６を経由して、ゼット吐水口３４から、排水路１２の入口１２ａに向けて吐出されるようになっている。
【００３６】
次に第２実施形態による水洗便器の動作を説明する。洗浄開始時には、共通通水路４２内、リム通水路４６内、及び、ゼット通水路３６の封水面Ｗ１よりも上方の空間内に、空気が存在している。これらの空気のうち、共通通水路４２内の空気は、洗浄開始時、即ち、洗浄水が洗浄水タンク４から洗浄水供給口１０ａ１を経て、共通通水路４２内に導入されたとき、この洗浄水により、前方に押し出され、さらに、共通通水路４２の上部壁２９に沿って前方に移動し、リム連結穴４４からリム通水路４６を経由して、リム吐水口４８から外部に排出される。ここで、リム連結穴４４が共通通水路４２の下流端の分岐部で且つボウル部８の近傍位置に配置されているので、共通通水路４２内の空気が、スムーズにリム連結穴４４内に移動し、さらに、リム通水路４６の経路が比較的短く形成されているので、共通通水路４２内の空気は、リム通水路４６内の空気と一緒になって、短時間に外部に排出される。
また、リム吐水口４８の開口部は水平方向に向いているので、空気と洗浄水とが混在する場合であっても、空気を、リム吐水口４８の上方部分から確実に外部に排出することができるようになっている。また、音の問題も解消できる。
【００３７】
また、ゼット通水路３６の封水面Ｗ１よりも上方の空間内の空気の大部分は、リム連結穴４４がほぼ真上に位置しているので、導入された洗浄水と置換しながら、リム連結穴４４内に移動し、リム通水路４６を経て、リム吐水口４８から外部に排出される。一方、ゼット通水路３６の封水面Ｗ１よりも上方の空間内の空気の残り一部は、洗浄水と共に、ゼット通水路３６を経て、ゼット吐水口３４から外部に排出されるが、その量は、少量である。この場合も、ゼット通水路３６の経路が比較的短く形成されているので、ゼット通水路３６内の空気は、短時間に外部に排出される。
【００３８】
このようにして、第２実施形態でも、第１実施形態と同様に、洗浄開始時において、共通通水路４２内、リム通水路４６内、及び、ゼット通水路３６の封水面Ｗ１よりも上方の空間内に存在している空気が、極めてスムーズ（短時間）に、リム吐水口４８、及び、ゼット吐水口３４から排出されるので、これらの通水路内で空気が圧縮されることがなくなり、洗浄水の水流のエネルギーの損失が低減でき、洗浄時の音の発生を防止することができる。
【００３９】
第２実施形態によれば、洗浄開始時に、このようにして通水路内の空気が早期に外部に排出されるので、洗浄開始後のごく短い時間で、ゼット吐水口３４から排出路１２の入口１２ａに向けて洗浄水が吐出され、それにより、早期にサイホン作用が発揮され、汚物排出性能が向上する。さらに、サイホン作用が早期に発生することにより、洗浄水の量を少なくすることができる。
【００４０】
次に、図６は、第２実施形態の変形例を示す水洗便器の縦断面図である。この第２実施形態の変形例による水洗便器５１は、は、図６に示すように、共通通水路４２のリム連結穴４４に接した上流側には、上方に傾斜した上部壁５２が形成されている。この上部壁５２は、第２実施形態のものより、上流側に長く延びて形成されており、その分、洗浄タンク４から共通通水路４２内に供給された洗浄水が、この上部壁５２に沿って流れ、スムーズに、リム連結穴４４に流入することができる。また、同時に、共通通水路４２内に残る空気も、洗浄水に押され、スムーズに、リム連結穴４４に流入し、外部に排出される。
【００４１】
次に、図７及び図８により、本発明の第２実施形態と比較例との差異を説明する。図７（ａ）は、本発明の第２実施形態（リム吐水口が１つのタイプ）に対応した水洗便器を示す縦断面図であり、図７（ｂ）は従来例である比較例による水洗便器を示す縦断面図である。図７（ａ）及び図７（ｂ）に示された水洗便器は、両者の特性が比較できるように、リム吐水口等の位置や基本構造が同じに設定されている。
図７（ａ）に示された第２実施形態に対応する水洗便器では、上述したように、共通通水路４２内の空気は、洗浄開始時、洗浄水タンク４から洗浄水供給口１０ａを経て、共通通水路４２内に導入された洗浄水により、前方に押し出され、さらに、共通通水路４２の上部壁２９に沿って前方に移動し、リム連結穴４４からリム通水路４６を経由して、リム吐水口４８から外部に排出される。また、ゼット通水路３６の封水面Ｗ１よりも上方の空間内の空気の大部分は、導入された洗浄水と置換しながら、リム連結穴４４内に移動し、リム通水路４６を経て、リム吐水口４８から外部に排出され、一方、空気の残り一部は、洗浄水と共に、ゼット通水路３６を経て、ゼット吐水口３４から外部に排出される。
【００４２】
これに対し、図７（ｂ）は、従来例（比較例）であり、上述した特許文献２に開示された水洗便器に対応している。この従来例の水洗便器には、洗浄水タンク（図示せず）からの洗浄水の入口である洗浄水供給口１３０が設けられ、この洗浄水供給口１３０の真下近傍には、分流区画壁１３２が設けられ、この分流区画壁１３２により、リム吐水口１２６に供給される洗浄水が流入するリム通水部１３４（リム連結穴４４を含む）と、ゼット吐水口１２８に供給される洗浄水が流入するゼット通水路１３６とが形成され、リム吐水口１２６とゼット吐水口１２８に供給される洗浄水が分流供給されるようになっている。
この図７（ｂ）に示される従来例の水洗便器においては、リム吐出口１２６の上流側にある空気は、洗浄開始時に、リム連結穴４４及びリム通水路１３４を経由して、リム吐出口１２６から、スムーズに外部に排出される。しかしながら、ゼット吐水口１２８の上流側にある空気は、行き場がないので、ゼット吐水口１２８から排出される。それにより、ゼット吐水口１２８から排出される空気の量だけ洗浄水の流量が減少し、それにより、サイホン作用の遅れを誘発し、その分、汚物の排出性能が低下するという問題が生じる。
【００４３】
図８は、図７（ａ）に示す本発明の第２実施形態に対応する水洗便器と、図７（ｂ）に示す従来例である比較例による水洗便器との「排水流量」の差異を示す線図である。
この図８から明らかなように、洗浄開始時において、第２実施形態の水洗便器は，最大流量が１８４Ｌ／ｍｉｎであるが、比較例による水洗便器では、最大流量が１６２Ｌ／ｍｉｎであり、第２実施形態のものより、約１２％低下している。この最大流量の低下は、ゼット通水路１３６内に残存する空気によるものであり、汚物の排出能力の低下を示しており、第２実施形態が、比較例よりも、優れた洗浄能力を有することが示されている。
また、図８に示されているように、第２実施形態の方が、排水流量の増加の立ち上がりが早く、即ち、サイホン作用が早期に発生しているので、洗浄水の量を少なくすることが可能となる。そのため、主な汚物を排出した後の洗浄水をさらに利用できるので、サイホンの持続が可能となり、封水面に浮遊している汚物などの排出を効果的に行うことが出来る。また、少なく出来た分の洗浄水をリム吐水側へ回すことも可能となり、ボウル洗浄の洗浄効果をさらに高めることも可能となる。
【図面の簡単な説明】
【００４４】
【図１】本発明の第１実施形態による水洗便器を示す縦断面図である。
【図２】図１に示す水洗便器の平面図である。
【図３】（ａ）〜（ｄ）はそれぞれ図２のＡ−Ａ線〜Ｄ−Ｄ線に沿って見た部分断面図である。
【図４】本発明の第２実施形態による水洗便器の縦断面図である。
【図５】図４に示す水洗便器の平面図である。
【図６】本発明の第２実施形態の変形例による水洗便器を示す縦断面図である。
【図７】（ａ）は本発明の第２実施形態（リム吐水口が１つのタイプ）に対応した水洗便器を示す縦断面図であり、（ｂ）は従来例である比較例による水洗便器を示す縦断面図である。
【図８】図７（ａ）に示す本発明の第２実施形態に対応する水洗便器と、図７（ｂ）に示す従来例である比較例による水洗便器との「排水流量」の差異を示す線図である。
【図９】（ａ）は従来の水洗便器（特許文献１）の水洗便器を示す平面図であり、（ｂ）は（ａ）に示す水洗便器の縦断面図である。
【図１０】（ａ）は従来の水洗便器（特許文献２）の水洗便器を示す平面図であり、（ｂ）は（ａ）に示す水洗便器の縦断面図である。
【符号の説明】
【００４５】
１，４１，５１，６１  水洗便器
２  便器本体
４，６２  洗浄タンク
６  スカート部
８  ボウル部
１０，４２  共通通水路
１２  排水路
１４  汚物受け面
１６  リム
１８  棚部
２０  第１のリム連結穴
２２  第２のリム連結穴
２４  第１のリム通水路
２６  第２のリム通水路
２８  隔壁
２９，５２  上壁部
３０  第１のリム吐水口
３２  第２のリム吐水口
３４  ゼット吐水口
３６  ゼット通水路（第２ゼット通水路）
４４  リム連結穴
４６  リム通水路
４８  リム吐水口
【図１】
2005113643.tif 000003
【図２】
2005113643.tif 000004
【図３】
2005113643.tif 000005
【図４】
2005113643.tif 000006
【図５】
2005113643.tif 000007
【図６】
2005113643.tif 000008
【図７】
2005113643.tif 000009
【図８】
2005113643.tif 000010
【図９】
2005113643.tif 000011
【図１０】
2005113643.tif 000012